(57)【要約】キー入力（１３）と音声データ（１４）の両者をコンピュータへ送るインターフェースコントローラ（１２）を持つ入力デバイスが開示されている。コンピュータは分割した処理を行うためにデータを分けることができ、音声または言語認識のための音声明瞭度処理を含んでいる。入力デバイスは音声認識キーボードを持つことができ、音声認識処理はキーボードとローカルに置かれており、そのキーボードはマルチメディアの電子デバイスを遠隔で制御できる。入力デバイスへの口語コマンドはインターネットアクセスを始めることができる。本発明はさらに音声または言語認識用の単一のインターフェースによってコンピュータシステムにキー入力及び音声入力（１７）を提供する方法、口語をテキストに変換する方法、インターネットにつながれたコンピュータからインターネットへのアクセスを提供する方法、または少なくともひとつの電子デバイスを口語コマンドにより遠隔で制御する方法、も熟考している。
2004509385.tif 000002
【特許請求の範囲】
【請求項１】
コンピュータシステムで使われる通信信号を供給するためのインターフェースコントローラと、
前記インターフェースコントローラにつながれたキー入力手段と、
前記インターフェースコントローラにつながれた音声入力手段と、
を備え、前記キー入力手段および前記音声入力手段はキーボードデータと音声データをコンピュータに送るためのインターフェースコントローラを共有する、コンピュータシステム用の入力デバイス。
【請求項２】
前記インターフェースコントローラとつながれ、音声入力手段やキーボードと当該コントローラを共有する音声出力手段をさらに備える、請求項１に記載の入力デバイス。
【請求項３】
前記インターフェースコントローラは、ＵＳＢ技術に従って前記コンピュータシステムで使用する信号を提供する、請求項１に記載の入力デバイス。
【請求項４】
前記音声入力手段と前記インターフェースコントローラとの間に置かれ、音声入力からインターフェースコントローラへのアナログ入力をディジタル化するための音声プロセッサをさらに備える、請求項１に記載の入力デバイス。
【請求項５】
前記音声プロセッサは、その上、口語をキー入力データに変換する、請求項４に記載の入力デバイス。
【請求項６】
前記音声プロセッサに接続されたメモリ手段をさらに備える、請求項５に記載の入力デバイス。
【請求項７】
前記メモリ手段は、前記音声入力手段からの音声データと比較するために少なくとも一人の特定ユーザの音声プリントを含む、請求項６に記載の入力デバイス。
【請求項８】
前記入力手段と出力手段は、電話方式の使用に適した単一のレシーバユニット内に結合された、請求項２に記載の入力デバイス。
【請求項９】
入力処理手段と出力手段につながれた音声明瞭度認識手段を持つコンピュータシステムと、
前記コンピュータの入力処理手段につながれた少なくともひとつのインターフェースコントローラに結合され共有しているキー入力手段と音声入力手段を持つ音声信号やキー入力信号を転送するための入力デバイスと
を備え、音声明瞭度認識手段は前記音声信号を処理し、出力手段への出力を生成する、音声明瞭度認識システム。
【請求項１０】
前記インターフェースコントローラと前記入力処理手段はＵＳＢ技術に従って生成された信号を使って通信する、請求項９に記載の音声明瞭度認識システム。
【請求項１１】
前記音声入力手段と当該音声入力手段から前記インターフェースコントローラへのアナログ信号をディジタル化するための前記インターフェースコントローラとの間におかれた音声プロセッサをさらに備える、請求項１０に記載の音声明瞭度認識システム。
【請求項１２】
前記音声プロセッサにつながれたメモリ手段をさらに備え、前記メモリ手段は前記入力手段からの音声データと比較するために少なくとも一人の特定ユーザの音声プリントを含む、請求項１１に記載の音声明瞭度認識システム。
【請求項１３】
前記音声明瞭度認識手段につながれたメモリ手段をさらに備え、前記メモリ手段は前記入力手段からの音声データと比較するために少なくとも一人の特定ユーザの音声プリントを含む、請求項９に記載の音声明瞭度認識システム。
【請求項１４】
前記音声信号とキー入力信号の符号化された転送を提供するために、前記インターフェースコントローラにつながれた第１の符号化手段と前記入力プロセッサにつながれた第２の符号化手段とをさらに備える、請求項９に記載の音声明瞭度認識システム。
【請求項１５】
音声認識を実行するための音声プロセッサをさらに備える、請求項９に記載の音声明瞭度認識システム。
【請求項１６】
前記コンピュータシステムへの転送に適した第１のタイプと、少なくともひとつの電子デバイスへの転送に適した第２のタイプの２タイプの信号転送が可能な信号化手段と、
それを通じて転送用に前記信号化手段へのキー入力を提供するために前記信号化手段に接続された複数のキーと、
音声入力手段と、
信号手段による転送用に口語を操作命令に変換するために前記音声入力手段に接続された音声認識手段と
を備え、少なくともひとつの電子デバイスを制御するためのキー入力や操作命令を生成する、コンピュータシステム用の音声認識キーボード。
【請求項１７】
少なくともひとつの電子デバイスへの転送に適した前記タイプの前記信号は、赤外線信号を用いて転送される、請求項１６に記載の音声認識キーボード。
【請求項１８】
少なくともひとつの電子デバイスへの転送に適した前記タイプの前記信号は、無線周波数（ＲＦ）信号を用いて転送される、請求項１６に記載の音声認識キーボード。
【請求項１９】
前記コンピュータへの転送に適した前記タイプの前記信号は、ＵＳＢ技術に従う、請求項１６に記載の音声認識キーボード。
【請求項２０】
前記音声認識手段に接続されたメモリ手段をさらに備える、請求項１６に記載の音声認識キーボード。
【請求項２１】
前記メモリ手段は、前記音声入力手段からの音声データと比較するために少なくとも一人の特定ユーザの音声プリントを含む、請求項２０に記載の音声認識キーボード。
【請求項２２】
前記コンピュータシステムや少なくともひとつの電子デバイスから前記信号手段へ転送される音声信号を受信するために前記信号手段に接続された音声出力手段をさらに備える、請求項１６に記載の音声認識キーボード。
【請求項２３】
前記の音声入力および出力手段は、電話方式用のレシーバとしての使用に適した単一ユニット内に結合された、請求項２２に記載の音声認識キーボード。
【請求項２４】
少なくともひとつの前記操作命令は、ＩＰ電話方式によって音声を伝えるために適用される、請求項２２に記載の音声認識キーボード。
【請求項２５】
前記音声認識手段は信号手段による伝送のために、その上、口語を相当するキー入力に変換する、請求項１６に記載の音声認識キーボード。
【請求項２６】
音声入力手段と、
インターネットアクセスを始めるために定義された少なくともひとつのコマンドとして口語コマンドを認識するための音声認識手段と、
前記コマンドの実行トリガのための信号手段と
を備え、インターネットに接続された構成のコンピュータからインターネットへの音声アクセスを提供する音声認識入力デバイス。
【請求項２７】
前記入力デバイスはキーボードである、請求項２６に記載の音声認識入力デバイス。
【請求項２８】
少なくともひとつの前記コマンドは、ＩＰ電話方式によって音声を伝えるために定義された、請求項２６に記載の音声認識入力デバイス。
【請求項２９】
音声入力手段と、
インターネットアクセスを伝えるために定義された少なくともひとつの前記コマンドとして口語コマンドを認識するための音声認識手段と、
前記コマンドを実行するための信号手段と
を備え、ワールドワイドネットワークのコンピュータにつながれたコンピュータからインターネットへ音声アクセスを提供する音声認識入力デバイス。
【請求項３０】
少なくともひとつの前記コマンドは、インターネットの操縦を許可するために定義された、請求項２９に記載の音声認識入力デバイス。
【請求項３１】
少なくともひとつの前記コマンドは、ＩＰ電話方式によって音声を伝えるために定義された、請求項２９に記載の音声認識キーボード。
【請求項３２】
前記入力デバイスはキーボードである、請求項２９に記載の音声認識入力デバイス。
【請求項３３】
音声信号を入力するステップと、
前記音声信号をディジタル音声信号へ変換するステップと、
キー入力信号を入力するステップと、
結合した信号を生成するために前記ディジタル音声信号と前記キー入力信号を単一のインターフェースコントローラにより同時に処理するステップと、
前記結合された信号を前記コンピュータシステムへ転送するステップと
を備える、単一のインターフェースによってコンピュータシステムにキー入力や音声入力を提供する方法。
【請求項３４】
前記コンピュータシステムで個別に処理するために、前記結合された信号を個別のディジタル音声信号コンポーネントと個別のキー入力信号コンポーネントに分ける前記コンピュータをさらに備える、請求項３３に記載の方法。
【請求項３５】
サンプル音声プリントを蓄積するステップと、
音声信号を入力するステップと、
キー入力信号を入力するステップと、
前記音声信号をディジタル音声信号へ変換するステップと、
前記ディジタル音声信号と前記サンプル音声プリントを比較するステップと、
前記ディジタル音声信号と前記サンプル音声プリントが一致したら前記ディジタル音声信号と前記キー入力信号を単一のインターフェースコントローラによって結合された信号に同時に処理するステップと、
前記結合された信号を前記コンピュータシステムに転送するステップと
を備える、単一のインターフェースによってコンピュータシステムにキー入力や音声入力を提供する方法。
【請求項３６】
口語を含む音声信号を入力するステップと、
前記音声信号をディジタル音声信号へ変換するステップと、
キー入力信号を入力するステップと、
前記ディジタル音声信号と前記キーボード信号を単一のインターフェースコントローラによって結合された信号に同時に処理するステップと、
前記結合された信号を単一のインターフェースによってコンピュータシステムに転送するステップと、
前記結合された信号を前記コンピュータでディジタル音声信号コンポーネントとキー入力信号コンポーネントに分けるステップと、
前記口語から相当するテキストに変換するための前記ディジタル音声信号コンポーネントを処理するステップと
を備える、口語をテキストに変換する方法。
【請求項３７】
前記テキストを第２のキー入力信号に変換することをさらに備える、請求項３６に記載の方法。
【請求項３８】
口語を含む音声信号を入力することと、
前記音声信号をディジタル音声信号へ変換することと、
前記ディジタル音声信号内の前記口語を確認することと、
前記口語をコマンド、インターネットアクセスを始めるために定義された少なくともひとつの前記コマンド、に変換することと、
前記コマンドを前記コンピュータへ転送することと
を備える、インターネットに接続されたコンピュータからインターネットへのアクセスを提供する方法。
【請求項３９】
インターネットアクセスは前記コンピュータをワールドワイドネットワークのコンピュータに接続する、請求項３８に記載の方法。
【請求項４０】
口語コマンドを音声信号としてキーボードへ入力することと、
前記キーボードを使ってキー入力データを入力することと、
前記音声信号を操作命令へ変換することと、
前記操作命令を少なくともひとつの前記電子デバイスへ転送することと、
前記キー入力データをコンピュータシステムへ転送することと
を備え、ただしここでの厳密なステップの順序は重要ではない、少なくともひとつの電子デバイスを口語コマンドにより遠隔で制御する方法。
【発明の詳細な説明】
【０００１】
【発明の属する技術分野】
本発明は電子デバイスとインターフェースするための入力デバイスに関連するものである。本発明はさらに特にコンピュータキーボード、音声・言語認識システム、そして電子装置の制御システムに関連している。
【０００２】
【従来の技術】
従来技術として音声検出機能はキーボードに統合されることが知られている。例えばＷｈｅｌｐｌｅｙ Ｊｒ．は米国特許第５６５９６６５号（以下Ｗｈｅｌｐｌｅｙ６６５パテントと呼ぶ）で、キーボードとコンピュータシステムとの間のデータケーブルに外部デバイスを挿入することを開示している。この外部デバイスは音声信号をコンピュータのキーボードポートに送られるキー入力データへ変換することと、一方で、キーボード自身からの通常の信号は外部デバイスを通過していつものとおりにコンピュータへ行くことを許可することにより、コンピュータに音声認識機能を付加している。Ｗｈｅｌｐｌｅｙ６６５パテントで開示されている音声認識システムは音声入力がその中に組み込まれており、音声入力信号の処理用として音声認識のハードウェアは外部デバイスに閉じ込められている。音声コマンドはキーボードデータと等しいとき以外はコンピュータには決して送られず、音声認識機能を実行する際にコンピュータ処理時間は消費されない。
【０００３】
Ｗｈｅｌｐｌｅｙ６６５パテントではまた、キーボードハウジング内に音声認識デバイスが含まれている実施例を開示している。外面的な実施例と同様に、そのデバイスは音声信号をキー入力データに変換したり、キーボードから来るデータストリームにデータを挿入したりする働きをする。Ｗｈｅｌｐｌｅｙ６６５パテントで開示された組み合わせは、音声認識機能をコンピュータに対して透明となるように事実上偽装する。従って音声信号は決してキーボードケーブルによって転送されない。
【０００４】
【発明が解決しようとする課題】
Ｗｈｅｌｐｌｅｙ６６５パテントで開示されているようなキーボード操作を模擬するだけのどんな従来技術のデバイスでも、キーボード入力やキー入力の組み合わせで実行できるコマンドに対しては機能的に事実上の限界がある。コンピュータに直接そして音声認識システムとは無関係につながれた余計なマイクロフォンやスピーカの組み合わせなしでは音声信号自身の操作を実行することがコンピュータにとってできないので、このことは大きな欠点となる。
【０００５】
音声認識は発展していく技術であることがまた知られている。
現在実行されているものは、特定のユーザの音声を正確に認識するために設計された音声依存型のものと、いかなる音声に対しても正確に機能するように設計された音声非依存型のものがある。この分野での進歩は、言語をキー入力に変換する際のさまざまな発音、話し方、アクセントの変化による不正確さを減らしていることである。音声認識のいかなる組み込み手段もハードウェアの限界となりつつあり、技術の進歩とともにアップグレードすることが高価になりそうである。
【０００６】
さらに基本的なテキスト入力のような機能は、特定ユーザの音声を正確に見分けるために現在の音声認識システムをトレーニングする必要により、非常に複雑である。Ｇａｌｖｉｎによる米国特許第５８７４９３９号（Ｇａｌｖｉｎ９３９パテント）ではトレーニングを容易にするディスプレイ付の音声認識キーボードを開示している。システムによって口語をテキストに変換する際には、ユーザはそれらをディスプレイ上で正確にチェックでき、この方法ではシステムオーバータイムの正確さを改善できる。
【０００７】
Ｗｈｅｌｐｌｅｙ６６５パテントと同じように、Ｇａｌｖｉｎ９３９パテントで開示されている音声認識システムは組み込みのものであり、音声データをコンピュータに転送はしない。結果としてトレーニング手順は必然的にキーボードとのインターフェースで局部的な制限が必要となり、開示されたように貧弱なまたは高価なものとなり、間違いなくコンピュータに接続されたディスプレイと同じようにキーボードディスプレイを準備する問題に関連する。
【０００８】
Ｗｈｅｌｐｌｅｙ６６５パテントやＧａｌｖｉｎ９３９パテントで開示されているような組み込みのアプローチは、コンピュータシステムとは分離された外部プロセッサに言語処理を制限することにより、システム効率の改善を図っており、そしてより古いコンピュータシステムに適しているであろうとはいえ、現行のコンピュータシステムや利用可能なハイビットレートのインターフェースでの実用的な使用に対しては十分な柔軟性がなく、他の音声関連技術の使用には適さない。
【０００９】
同じインターフェースによって音声信号とキーボード信号をコンピュータに同時に転送できる低価格の装置に対する要望がある。また、ディジタル技術のような他の音声処理機能をサポートするのと同じようにキーボード信号を模擬できる音声明瞭度認識システムに対する要望や、遠隔デバイス制御に対する要望もある。キーボードと近くない環境でのこれらの機能に対する要望がある。また、キーボード内で、あるいはアプリケーションに依存したコンピュータシステムとともに機能することができる音声明瞭度認識システムに対する要望もある。
【００１０】
【課題を解決するための手段】
本発明は、コンピュータキーボードや音声データを持ったマイクロフォンやテレフォンハンドセットのようなその他の周辺インターフェースから音声明瞭度認識システムにテキスト入力としてキー入力データを統合し、電子装置を制御し、そしてインターネットへアクセスすることに向けられている。
【００１１】
本発明のひとつの実施例としては通常のコンピュータキーボードのような入力デバイスを提供することであり、そのデバイスは音声信号入力とインターフェースコントローラを共有するために、そしてキー入力データを運ぶものと同じケーブルによってコンピュータシステムへ信号を送ることを可能にするために適合される。
【００１２】
コンピュータへ１本のケーブルによってキーボード信号と音声信号の両方を伝送することは、ユニバーサルシリアルバス（ＵＳＢ）コントローラのような十分高いビットレートを持つキーボードインターフェースコントローラと、たとえばマイクロフォンからのアナログ音声信号をディジタルに変換するコントローラに接続された音声プロセッサを使うことにより達成される。この方法ではＵＳＢキーボードはコンピュータとの間の音声信号のコンジットとなる。そして音声処理を行うためにコンピュータシステムで現在使われている音声やサウンドのカードのような現存する周辺デバイスの追加や置き換えそれ自体が可能となる。
【００１３】
音声プロセッサへのスピーカのような音声出力の接続は、テレコミュニケーション分野と互換性のある多重音声転送を可能とする。音声プロセッサにメモリを増設することにより、入力デバイスに対して音声メッセージ化、音声プリント認識、そして音声認識の機能を拡張できる。
【００１４】
本発明の目的は、コンピュータシステム内で使うための通信信号を供給するインターフェースコントローラと、インターフェースコントローラに接続されたキー入力手段と、インターフェースコントローラに接続された音声入力手段とを備えるコンピュータシステムに対して入力デバイスを提供することにより達成され、キー入力手段と音声入力手段はコンピュータにキーボードデータや音声データを送るためのインターフェースコントローラを共有している。
【００１５】
本発明のさらなる実施例は、音声とキーボードの情報を受けるために単一の入力デバイスを用いたコンピュータが、テキストとしての出力用に音声認識技術を使って、または、対応する操作命令を実行することにより、音声入力を処理する、音声認識システムである。上述のように入力デバイスはＵＳＢキーボードのようなものであり、音声プロセッサはアナログ音声入力に適応するためにその間に置かれている。音声プリント認識を容易にするためにメモリを入力デバイスやコンピュータに増設できる。入力デバイスとコンピュータとの間の信号の符号化はインターフェースを詮索することを防ぐために使うことができる。また音声認識は、コンピュータと並列な入力デバイスにより、システムの計算負荷を分散したり、または音声認識機能の精度を高めたりすることを達成できる。
【００１６】
さらにここでは、入力処理手段と出力手段につながれた音声認識手段を持つコンピュータシステムと、コンピュータの入力処理手段につながれた少なくともひとつのインターフェースコントローラに結合され共有しているキー入力手段と音声入力手段を持つ音声信号とキー入力信号を転送するための入力デバイスと、を備える音声認識システムを提供しており、音声認識手段は音声信号を処理し、出力手段に対して出力を生成する。
【００１７】
さらなる実施例では、ひとつ以上の外部デバイスへの入力と同じように、コンピュータにデータを転送できる信号化手段をもつキーボード内に音声認識が組み込まれている。この実施例に従った代表的な処理は、コンピュータとのインタ−フェースにＵＳＢ技術を使ったものや、テレビを制御するために使われるような赤外線（ＩＲ）、またはコードレスフォンのような適用での無線周波数（ＲＦ）転送などである。言語認識を行うために必要なコンポーネントは、キーボードインターフェースによってコンピュータへ言語をテキスト転送へ変換するために、そしてまた互換性のある電子デバイスに対して遠隔制御された音声を提供するために、キーボード内に含まれている。
【００１８】
そしてその上、キー入力や少なくともひとつの電子デバイスを制御するための操作命令を生成するためのコンピュータシステム用の音声認識キーボードを提供しており、コンピュータシステムへの転送に適した第１のタイプと、少なくともひとつの電子デバイスへの転送に適した第２のタイプの２タイプの信号転送が可能な信号化手段と、転送用に信号化手段へのキー入力を提供するために信号化手段に接続された複数のキーと、音声入力手段と、信号手段による転送用に口語を操作命令に変換するために音声入力手段に接続された音声認識手段と、を備えている。
【００１９】
信号処理や音声認識を扱う音声処理回路と同じように、キーボードに音声入力を提供するためには少なくともひとつの音声入力デバイスが必要となる。前記の実施例のように、メモリ、符号化回路、そしてキーボードへの音声出力手段を加えることは、音声プリント比較や、ディジタル電話方式や音声データエントリを確実にするのに適した双方向音声伝達を可能としている。
【００２０】
次の実施例では、インターネットアクセスのために形づくられたコンピュータにつながれる時にキーボードが提供されるように、入力デバイスは特定の口語コマンドを受信するとインターネットへのアクセスを始めるであろう。
【００２１】
インターネットに接続されるために形づくられたコンピュータからインターネットへ音声アクセスを提供するための音声認識入力デバイスを提供しており、音声入力手段と、インターネットにアクセスを始めるために定義された少なくともひとつの口語コマンドを認識するための音声認識手段と、コマンドの実行トリガのための信号手段と、を備えている。
【００２２】
本発明はさらに、単一のインターフェースによってキー入力と音声入力をコンピュータシステムに提供する方法、口語をテキストに変換する方法、インターネットにつながれたコンピュータからインターネットへアクセスを提供する方法、そして少なくともひとつの電子デバイスを口語コマンドで遠隔制御する方法についても熟考している。
【００２３】
【発明の実施の形態】
上述の内容や、本発明の他の特徴、外観、利点は、添付図と共に読まれる以下の記述より明らかとなるであろう。図中の参照番号は同一要素を示している。
【００２４】
さて図１を参照すると、数字１０で一般に示されている本発明による言語入力デバイスの好ましい実施例の電気的なブロック図が示されている。言語入力デバイス１０に対してケース１１が図で示されている。コンピュータシステムは数字２０で一般に表されている。コンピュータ２０は入力プロセッサ２１を持っており、言語入力デバイス１０のインターフェースコントローラ１２と双方向通信でつながれている。インターフェースコントローラ１２はキー入力１３と音声入力１７からの信号を受信するために接続されている。
【００２５】
音声プロセッサ１４は音声入力１７とインターフェースコントローラ１２との間に接続されている。音声プロセッサ１４とインターフェースコントローラ１２との間は双方向接続が存在する。インターフェースコントローラ１２と音声プロセッサ１４はシングルチップ内に結合することができる。機能上は同等である。音声出力１８とメモリ１６は音声プロセッサ１４につながれている。音声入力１７と音声出力１８は図１のケース１１内に示されているとはいえ、本発明の機能や精神に影響を与えることなく、それらはケースの外側に存在しうることが理解できる。
【００２６】
動作中には、音声入力１７から受信した信号は音声プロセッサ１４でディジタル化され、音声データはインターフェースコントローラ１２に送られる。インターフェースコントローラ１２はキー入力１３から受信したキー入力データとこの音声データを結合して、ひとつのデータ信号としてコンピュータシステム２０内の入力プロセッサ２１にそれらを転送する。ＵＳＢに関連した近年のデバイスでは、キーボードとマイクロフォンは複合したＵＳＢデバイスとしてふたつの異なるＵＳＢエンドポイントを使うので、キーボードデータと音声データは同時である必要はない。音声データは同時でも非同時でもよい。もしデータが同時であれば、ＵＳＢバス上で他のすべてのデータタイプのものよりも優先権を与えられるであろう。オーディオデータなどはまた非同時であり、他のＵＳＢデバイスをエミュレートする。どのインターフェース方法が使われるかにかかわらず、音声データとキー入力データは同時にまたはどちらか一方が一度に送られる。音声データとキー入力データは単一のケーブルによってコンピュータシステムに転送される。
【００２７】
同様に、コンピュータ２０からインターフェースコントローラ１２で受信された音声データを含む信号は、音声出力１８に適したアナログ信号への変換のために音声プロセッサに送られる。もっとも単純なケースとしては、音声プロセッサは音声データ入力用のＡＤコンバータとして、そして音声データ出力用のＤＡコンバータとして機能する。
【００２８】
音声入力１７から受信した信号は、人間の言語をテキストに変換する言語認識や、人間の言語をコマンドに変換したり確認を実行したりする音声認識のような音声明瞭度認識のいかなるタイプに対しても処理される。
【００２９】
メモリ１６は音声プリントサンプルまたは音声認識データを含んでおり、音声プロセッサ１４が音声入力１７からくる音声信号の音声プリント比較を行ったり、その結果音声認識機能を実行したりすることを可能にしている。
【００３０】
図２は図１と同様に本発明の電気的なブロック図を示しており、ここでは言語入力デバイス１０はＵＳＢキーボードをベースとしている。ＵＳＢキーボードの標準的な構成要素は代表的な形に並べられており、キー入力１３とＬＥＤ信号１５がつながれそしてＵＳＢ出力１９を持ったインターフェースコントローラ１２に含まれている。
【００３１】
種々のクラスのＵＳＢデバイスが存在する。ＵＳＢキーボードそれ自身はＨＩＤ（ヒューマンインターフェースデバイス）のクラスになる。他のクラスはオーディオデバイス、コミュニケーションデバイス、ディスプレイデバイス、そしてマスストレージデバイスのクラスが含まれる。オーディオデバイスクラスはＵＳＢマイクロフォン用のデバイスディスクリプタと定義される。ＵＳＢオーディオデバイスクラスのディスクリプタを使うことはＵＳＢマイクロフォンをサポートする標準的な方法であり、一括転送をサポートするフルスピード１２メガビット／秒のＵＳＢインターフェースチップを必要とする。このようなチップは低速のチップよりも高価となるが、マイクロフォン用のより広いレンジのＵＳＢシステムドライバとの互換性を保証している。しかしながら本発明では同時、非同時両方でのデータ転送を熟考しており、どのようなインターフェースでもその基本的な機能性を変えることなくこれらのＵＳＢデバイスクラスを取り替えることができる。
【００３２】
本発明はＵＳＢキーボードに対して、インターフェースコントローラ１２につながれた音声プロセッサ１４を付加しており、各々マイクロフォンとスピーカとして表された音声入力１７と音声出力１８がつながれている。音声入力１７はオンボードマイクロフォン（すなわちキーボードに統合されているもの）またはジャックコネクタにプラグを差し込むマイクロフォンとなりうる。またメモリ１６は音声プロセッサ１４に接続されている。
【００３３】
言語入力デバイス１０の動作は図１で記述したものと同等であり、キー入力１３から受信したデータと音声入力１７から受信した音声データをインターフェースコントローラ１２で結合し、音声プロセッサ１４によってディジタル化する。ディジタル信号はインターフェースコントローラ１２に入り、信号をパケット化するＵＳＢプロセッサとして働く。最終的な信号は、同様のＵＳＢインターフェースを持ついかなるコンピュータシステムとも互換性のある標準的なＵＳＢ技術に従って音声パケットとしてＵＳＢケーブル１９によって転送される。パケット化の可能なフォーマットのひとつとしては、１６ビット８ＫｈｚＰＣＭのＵＳＢマイクロフォンオーディオデータフォーマットがある。しかしながら他に多くの可能なオーディオフォーマットがある。ＵＳＢケーブル１９を通って入ってくる音声信号は、一定の順路に従って音声出力１８を通って出力されるために、インターフェースコントローラ１２によって音声プロセッサ１４に送られる。音声プロセッサ１４とインターフェースプロセッサ１２は機能上の影響なく、シングルチップに結合することができる。ＬＥＤ１５は一般的にＮｕｍ ＬｏｃｋやＣａｐｓ Ｌｏｃｋのようにキーボードの表示ライトとして使われるが、音声入力デバイス１０の他の状況の機能を表示するためにも同様に使うことができる。
【００３４】
この構成では、音声入力デバイス１０はまさに標準のＵＳＢキーボードとして機能し、またＵＳＢに準拠したコンピュータに追加でインターフェースを付加することなく音声信号に対して２ウェイコンジットとして機能する。さらに、音声入力１７と音声出力１８はテレフォンハンドセットとして使われるレシーバユニットに結合されている。音声プロセッサ１４にメモリ１６を追加することは、システムが入ってくる信号とメモリ１６に格納されている信号とを比較することによってユーザの同一性をチェックしたり、特定の認定されたユーザに音声入力デバイス１０へのアクセスを制限したりすることを可能としている。この構成ではまた、単一の入力デバイスの簡潔さを保ったまま、音声プロセッサ１４にいかなる音声明瞭度認識の機能性をも付加することができる。
【００３５】
次に図３を参照すると、入力デバイス１０を使った音声明瞭度認識システムの好ましい実施例がブロック図で示されており、コンピュータシステム２０は出力手段２３がつながっている音声サブシステム手段２２に接続された入力プロセッサ２１を持っている。入力デバイス１０は基本的には図１と同様の基本構成要素を持っており、入力プロセッサ２１への単一のインターフェースによってキー入力や音声データをコンピュータシステム２０に同様に提供する働きをする。音声データは音声サブシステム手段２２に転送するために入力プロセッサ２１によって分離される。この実施例によると、音声サブシステム手段は命令のセットの形をとってソフトを実行するコンピュータシステムのネイティブ処理手段を備えているか、もしくは特別なハードまたは両者の組み合わせからなっている。
【００３６】
出力手段２３は、例えば口語をモニタ上に表示するテキストに変換して音声サブシステム手段２２の出力を直接提供したり、あるいはもっと間接的にはワードプロセッサに対する音声書き取りのようになり、プリンタへ出力したりすることができる。先の実施例のように入力デバイス１０内のインターフェースコントローラ１２はＵＳＢ技術に従って信号を生成するために適応されている。同様に音声プロセッサ１４はアナログからディジタルへの変換を提供するために、音声入力１７とインターフェースコントローラ１２との間につながれている。音声プロセッサ１４がインターフェースコントローラ１２から受信したディジタル音声信号をスピーカへの出力に適したアナログ信号に変換するケースでは音声出力１８が提供される。
【００３７】
先の実施例のように、音声プロセッサ１４の機能は信号モード変換に制限を持たせる必要がない。メモリ１６の追加は、入力デバイス１０でローカルに音声プリント比較や言語認識のような音声を処理することを可能にする。音声プリント比較は入ってくる音声信号をメモリ１６内に記録されている音声プリントと比較するために使うことができる。音声プロセッサ１４によるローカルな音声明瞭度認識は音声サブシステム２２とともに用いることができ、この場合には入力デバイス１０はコンピュータシステム２０のコプロセッサとして機能する。
【００３８】
出力手段２３上で表示されるユーザインターフェースはウィンドウズベースとすることができ、音声コマンドが表示されたメニューをプルダウンすることによって動かすことができる。従ってユーザはシステムで認識されるコマンドを記憶する必要はない。この方法は音声明瞭度認識システムをよりユーザフレンドリーとすることができる。もちろんいかなるディスプレイインターフェースも使用可能であり、またインターフェースは本発明の機能性を変えることなく特殊な機能を実行するためにカスタマイズすることができる。
【００３９】
図４は図３の音声明瞭度認識システムの変更実施例を示しており、図示されたケース１１を持つ入力デバイス１０は、キー入力１３からのキー入力データを受信するためにそして前記音声プロセッサからの音声入力を送受信するために接続されたインターフェースコントローラ１２を持つ。インターフェースコントローラ１２はディジタル音声信号をコンピュータシステム２０へケーブルによって送信するためにパケット化する。音声入力１７と音声出力１８は、コンピュータシステム２０と同一のケーブルによってインターフェースコントローラ１２を通ってくる音声プロセッサ１４からのアナログ音声データを各々送受信している。先の実施例のように、メモリ１６は音声プリント比較や音声認識用のデータを蓄えておくために音声プロセッサ１４によって使われる。
【００４０】
この実施例では、信号符号化手段１９は入力デバイス１０とコンピュータシステム２０との間を転送されるデータの符号化／復号化を行うために入力デバイス１０に追加されている。同様に符号化手段２５がコンピュータシステム２０内に同様の理由で付加されている。符号化手段１９や２５はソフト制御された符号化回路またはプロセッサのいかなる既知のタイプのものとなり得る。符号化手段１９はインターフェースコントローラ１２内に統合することができ、それによりインターフェースコントローラ１２を使ってデータのパケット化と符号化の両方ができる。
【００４１】
コンピュータシステム２０内では、入力プロセッサは入力デバイス１０から音声データとキー入力データを受信し、音声信号を音声認識手段２２に渡す。メモリ２４は音声サブシステム手段２２につながれ、それによって記憶回路として仕えていることが示されている。出力手段２３は音声サブシステム手段２２の出力を表示するために使われるコンピュータシステム２０の表示手段である。この実施例では、Ｉ／Ｏコントローラ２６はコンピュータシステム２０と、インターネット接続、テレフォンサービス、そして周辺機器のようなコンピュータシステム２０の外部のデータソースとの間のゲートウェイインターフェースとして示されている。
【００４２】
この構成では、音声入力１７と音声出力１８はオンライン電話方式を使用するためにレシーバユニット内に結合することができる。これに関係して、インターネットプロバイダによる音声（ＶＯＩＰ）が得られる。さらにＩ／Ｏコントローラ２６の機能はローカルエリアネットワーク（ＬＡＮ）カードのようなインターフェースカードを使うことにより達成できる。
【００４３】
この実施例では、音声明瞭度認識システムは入力デバイス１０からコンピュータシステム２０への音声やキー入力の通信に対して安定した手段を提供するために機能している。インターフェースコントローラ１２と入力プロセッサ２１との間のインターフェースを詮索するいかなる試みも符号化手段１９，２５の動作に従う。
【００４４】
次に図５を参照すると、入力デバイスが音声認識キーボード１０である場合の本発明の実施例のブロック図が示されている。このような音声認識キーボード１０の場合は図的には１１として表されており、キー入力１３と音声プロセッサ１４からのデータを受信するインターフェースコントローラ１２を内部に持っている。音声プロセッサ１４は音声入力１７からの音声信号を受信し、そしてメモリ１６とつながれている。
【００４５】
音声プロセッサ１４は音声入力１７から音声信号として入ってくる言語を受信し、インターフェースコントローラ１２を通じてコンピュータシステム２０や電子デバイス３０への転送に適したコマンドへ口語を変換する。インターフェースコントローラ１２はキー入力１３と音声プロセッサ１４からのデータを結合し、それらを選択的にコンピュータシステム２０や電子デバイス３０に転送する。
【００４６】
この実施例によると、音声認識キーボード１０は通常のキーボードとして使うことができ、コンピュータシステム２０へキー入力を提供するためのＵＳＢのようなインターフェースを持っている。しかしさらに、キー入力からの入力はコントロールデータとなることができ、さらにまた、ＤＶＤやＣＤプレーヤー、ステレオ、ＶＣＲ、セットボックスまたはテレビのような電子デバイスに対して指示することができ、無線周波数（ＲＦ）または赤外線（ＩＲ）またはＵＳＢケーブルのようなインターフェースを装備したインターフェースコントローラ１２は、制御されるデバイス３０との互換性を有している。
【００４７】
さらに、音声入力１７を通じて受信された口語コマンドはそれらのキー入力と同等なものに処理され、インターフェースコントローラ１２に送られる。インターフェースコントローラは音声プロセッサ１４から中継された入力をあたかもキー入力１３からのデータと同じように処理し、ＵＳＢインターフェース，ＲＦまたはＩＲリンクのようなコンピュータインターフェースを経由して、必要であれば任意のその他のふさわしいインターフェースを通じてコンピュータシステム２０または電子デバイス３０に転送する。従って口語コマンドはＤＶＤやＣＤプレーヤー、ステレオ、ＶＣＲ、セットボックスまたはテレビのようなマルチメディア電子デバイスのいかなるタイプのものも遠隔制御できる。
【００４８】
利用可能なキーボードコマンドや入力のセットは利用可能な音声コマンドや入力すべてのサブセットである。キーボードは常に既定の制約されたキーやキーの組み合わせの数を持つが、音声コマンドや入力は物理的には制限を持たない。キーボード入力が一般的には数百のコードで制限されるのに対して、音声コマンドは数千となることができる。
【００４９】
本発明のキーとなる特徴は、音声パケットがＵＳＢケーブルによって転送されるところであり、音声コマンドをキーボードコードに変換し、それからケーブルによってキーボードコードを送るのとは対照的である。音声コマンドセットは、従来はキーボードコードには制限があったのだが、キーボードコードに制限されない。サポートされる音声コマンドの数はシステムメモリや事前に記録されたコマンドの数によって制限されるのみである。事前に記録された音声コマンドの数はインターネット経由で新しいコードをダウンロードすることにより更新できるため、音声コマンドの数は制限なしに増やすことができる。音声コマンドの別個のセットは特別なｗｅｂサイトでサポートされるｗｅｂサイト音声コマンドにユーザがアクセスする時に自動的にダウンロードできる。
【００５０】
図６はインターネットへの音声アクセスを提供することに対して示された本発明の代替の実施例を示している。この実施例では、入力デバイス１０はメモリ１６と音声入力１７がつながれた音声プロセッサ１４と接続されたインターフェースコントローラ１２を持ち、ケース１１の中に図示されている。この実施例では、口語コマンドは音声プロセッサ１４により対応するデータに変換され、インターフェース経由でコンピュータシステム２０に送られる。コンピュータシステム２０はインターネットにつながる構成をしている。従ってインターネットアクセスが音声で起動できる。入力デバイス１０はキーボード上に新しいキーを置き換えたり増やしたりするインターネットアクセスの音声起動を持つキーボードとなる。この実施例は、音声コマンドを、インターネットを操縦する際の使用のためにコンピュータシステム２０によって認識されるコマンドに変換することを可能にしている。本発明のこの実施例を用いて、ワールドワイドネットワークのコンピュータはアクセス可能となる。
【００５１】
本発明は、さらに音声とキー入力データに対して単一のインターフェースを用いる方法を熟考している。コンピュータは別々の処理を行うために、結合された信号をディジタル音声信号のコンポーネントとキー入力信号のコンポーネントに分ける。音声プリント比較がなされる。本発明は音声コマンドによりインターネットアクセスを起動する方法も含んでいる。このような音声コマンドはキーボードへの入力となることができる。方法はまた、口語コマンドを用いてキーボードから電子デバイスを遠隔制御するために熟考されている。
【００５２】
本発明は、好ましい実施例に関して述べられているとはいえ、本発明の精神と領域内で応用例や変更例を熟考していることは、技術に熟練した人には明らかであろう。好ましい実施例による図や記述は発明の領域に制限をかけるよりもむしろ一例としてなされており、発明の精神や領域内で類似の変化・変形はすべてカバーしたつもりである。
【図面の簡単な説明】
【図１】本発明に従った入力デバイスのブロック図である。
【図２】ＵＳＢキーボード内に本発明による言語入力デバイスを統合した実施例のブロック図である。
【図３】音声認識手段を持つコンピュータシステムに接続された本発明に従った入力デバイスの実施例のブロック図である。
【図４】さらに外部のサービスに接続されたコンピュータシステムに接続された本発明に従った入力デバイスの実施例のブロック図である。
【図５】統合された入力デバイスがリモートコントロール機能を有した音声認識キーボードである本発明の実施例のブロック図である。
【図６】インターネットへのアクセスを伴うコンピュータに接続された本発明の実施例のブロック図である。
【図１】
2004509385.tif 000003
【図２】
2004509385.tif 000004
【図３】
2004509385.tif 000005
【図４】
2004509385.tif 000006
【図５】
2004509385.tif 000007
【図６】
2004509385.tif 000008
【国際公開パンフレット】
2004509385.tif 000009
2004509385.tif 000010
2004509385.tif 000011
2004509385.tif 000012
2004509385.tif 000013
2004509385.tif 000014
2004509385.tif 000015
2004509385.tif 000016
2004509385.tif 000017
2004509385.tif 000018
2004509385.tif 000019
2004509385.tif 000020
2004509385.tif 000021
2004509385.tif 000022
2004509385.tif 000023
2004509385.tif 000024
2004509385.tif 000025
2004509385.tif 000026
2004509385.tif 000027
2004509385.tif 000028
2004509385.tif 000029
2004509385.tif 000030
2004509385.tif 000031
2004509385.tif 000032
2004509385.tif 000033
2004509385.tif 000034
2004509385.tif 000035
2004509385.tif 000036
2004509385.tif 000037
【国際公開パンフレット（コレクトバージョン）】
2004509385.tif 000038
2004509385.tif 000039
2004509385.tif 000040
2004509385.tif 000041
2004509385.tif 000042
2004509385.tif 000043
2004509385.tif 000044
2004509385.tif 000045
2004509385.tif 000046
2004509385.tif 000047
2004509385.tif 000048
2004509385.tif 000049
2004509385.tif 000050
2004509385.tif 000051
2004509385.tif 000052
2004509385.tif 000053
2004509385.tif 000054
2004509385.tif 000055
2004509385.tif 000056
2004509385.tif 000057
2004509385.tif 000058
2004509385.tif 000059
2004509385.tif 000060
2004509385.tif 000061
2004509385.tif 000062
2004509385.tif 000063
2004509385.tif 000064
【手続補正書】
【提出日】平成14年8月26日(2002.8.26)
【手続補正１】
【補正対象書類名】明細書
【補正対象項目名】特許請求の範囲
【補正方法】変更
【補正の内容】
【特許請求の範囲】
【請求項１】
コンピュータシステムで使われる通信信号を供給するためのインターフェースコントローラと、
前記インターフェースコントローラにつながれたキー入力手段と、
前記インターフェースコントローラにつながれた音声入力手段と
を備え、前記キー入力手段及び前記音声入力手段はキーボードと音声のデータをコンピュータシステムに送るためのインターフェースコントローラを共有し、
コンピュータシステムは広範な語彙を持ち、広範な語彙の音声明瞭度認識がコンピュータシステム内のメインプロセッサで実行される、コンピュータシステム用の入力デバイス。
【請求項２】
前記インターフェースコントローラとつながれ、音声入力手段やキーボードと当該コントローラを共有する音声出力手段をさらに備える、請求項１に記載の入力デバイス。
【請求項３】
前記インターフェースコントローラは、ＵＳＢ技術に従って前記コンピュータシステムで使用する信号を提供する、請求項１に記載の入力デバイス。
【請求項４】
前記音声入力手段と前記インターフェースコントローラとの間に置かれ、音声入力からインターフェースコントローラへのアナログ入力をディジタル化するための音声プロセッサをさらに備える、請求項１に記載の入力デバイス。
【請求項５】
前記音声プロセッサは、その上、口語をキー入力データに変換する、請求項４に記載の入力デバイス。
【請求項６】
前記音声プロセッサに接続されたメモリ手段をさらに備える、請求項５に記載の入力デバイス。
【請求項７】
前記メモリ手段は、前記音声入力手段からの音声データと比較するために少なくとも一人の特定ユーザの音声プリントを含む、請求項６に記載の入力デバイス。
【請求項８】
前記入力手段と出力手段は、電話方式の使用に適した単一のレシーバユニット内に結合された、請求項２に記載の入力デバイス。
【請求項９】
入力処理手段と出力手段につながれた広範な語彙の音声明瞭度認識手段を持つコンピュータシステムと、
前記コンピュータの入力処理手段につながれた少なくともひとつのインターフェースコントローラに結合され共有しているキー入力手段と音声入力手段を持つ音声信号やキー入力信号を転送するための入力デバイスと
を備え、音声明瞭度認識手段はコンピュータシステム内のメインプロセッサを用いて前記音声信号を処理し、出力手段への出力を生成する、音声明瞭度認識システム。
【請求項１０】
前記インターフェースコントローラと前記入力処理手段はＵＳＢ技術に従って生成された信号を使って通信する、請求項９に記載の音声明瞭度認識システム。
【請求項１１】
前記音声入力手段と当該音声入力手段から前記インターフェースコントローラへのアナログ信号をディジタル化するための前記インターフェースコントローラとの間におかれた音声プロセッサをさらに備える、請求項１０に記載の音声明瞭度認識システム。
【請求項１２】
前記音声プロセッサにつながれたメモリ手段をさらに備え、前記メモリ手段は前記入力手段からの音声データと比較するために少なくとも一人の特定ユーザの音声プリントを含む、請求項１１に記載の音声明瞭度認識システム。
【請求項１３】
前記音声明瞭度認識手段につながれたメモリ手段をさらに備え、前記メモリ手段は前記入力手段からの音声データと比較するために少なくとも一人の特定ユーザの音声プリントを含む、請求項９に記載の音声明瞭度認識システム。
【請求項１４】
前記音声信号とキー入力信号の符号化された転送を提供するために、前記インターフェースコントローラにつながれた第１の符号化手段と前記入力プロセッサにつながれた第２の符号化手段とをさらに備える、請求項９に記載の音声明瞭度認識システム。
【請求項１５】
音声認識を実行するための音声プロセッサをさらに備える、請求項９に記載の音声明瞭度認識システム。
【請求項１６】
前記コンピュータシステムへの転送に適した第１のタイプと、少なくともひとつの電子デバイスへの転送に適した第２のタイプの２タイプの信号転送が可能な信号化手段と、
それを通じて転送用に前記信号化手段へのキー入力を提供するために前記信号化手段に接続された複数のキーと、
音声入力手段と、
前記信号化手段による転送用に口語を操作命令に変換するために前記音声入力手段に接続された音声認識手段と
を備え、コンピュータシステムは広範な語彙を持ち、広範な語彙の音声明瞭度認識がコンピュータシステム内のメインプロセッサで実行される、少なくともひとつの電子デバイスを制御するためのキー入力や操作命令を生成する、コンピュータシステム用の音声認識キーボード。
【請求項１７】
少なくともひとつの電子デバイスへの転送に適した前記タイプの前記信号は、赤外線信号を用いて転送される、請求項１６に記載の音声認識キーボード。
【請求項１８】
少なくともひとつの電子デバイスへの転送に適した前記タイプの前記信号は、無線周波数（ＲＦ）信号を用いて転送される、請求項１６に記載の音声認識キーボード。
【請求項１９】
前記コンピュータへの転送に適した前記タイプの前記信号は、ＵＳＢ技術に従う、請求項１６に記載の音声認識キーボード。
【請求項２０】
前記音声認識手段に接続されたメモリ手段をさらに備える、請求項１６に記載の音声認識キーボード。
【請求項２１】
前記メモリ手段は、前記音声入力手段からの音声データと比較するために少なくとも一人の特定ユーザの音声プリントを含む、請求項２０に記載の音声認識キーボード。
【請求項２２】
前記コンピュータシステムや少なくともひとつの電子デバイスから前記信号化手段へ転送される音声信号を受信するために前記信号化手段に接続された音声出力手段をさらに備える、請求項１６に記載の音声認識キーボード。
【請求項２３】
前記の音声入力及び出力手段は、電話方式用のレシーバとしての使用に適した単一ユニット内に結合された、請求項２２に記載の音声認識キーボード。
【請求項２４】
少なくともひとつの前記操作命令は、ＩＰ電話方式によって音声を伝えるために適用される、請求項２２に記載の音声認識キーボード。
【請求項２５】
前記音声認識手段は信号化手段による伝送のために、その上、口語を相当するキー入力に変換する、請求項１６に記載の音声認識キーボード。
【請求項２６】
音声入力手段と、
インターネットアクセスを始めるために定義された少なくともひとつのコマンドとして口語コマンドを認識するための音声認識手段と、
前記コマンドの実行トリガのための信号手段と
を備え、コンピュータは広範な語彙を持ち、広範な語彙の音声明瞭度認識がコンピュータ内のメインプロセッサで実行される、インターネットに接続された構成のコンピュータからインターネットへの音声アクセスを提供する音声認識入力デバイス。
【請求項２７】
前記入力デバイスはキーボードである、請求項２６に記載の音声認識入力デバイス。
【請求項２８】
少なくともひとつの前記コマンドは、ＩＰ電話方式によって音声を伝えるために定義された、請求項２６に記載の音声認識入力デバイス。
【請求項２９】
音声入力手段と、
インターネットアクセスを伝えるために定義された少なくともひとつの前記コマンドとして口語コマンドを認識するための音声認識手段と、
前記コマンドを実行するための信号手段と
を備え、コンピュータは広範な語彙を持ち、広範な語彙の音声明瞭度認識がコンピュータ内のメインプロセッサで実行される、ワールドワイドネットワークのコンピュータにつながれたコンピュータからインターネットへ音声アクセスを提供する音声認識入力デバイス。
【請求項３０】
少なくともひとつの前記コマンドは、インターネットの操縦を許可するために定義された、請求項２９に記載の音声認識入力デバイス。
【請求項３１】
少なくともひとつの前記コマンドは、ＩＰ電話方式によって音声を伝えるために定義された、請求項２９に記載の音声認識キーボード。
【請求項３２】
前記入力デバイスはキーボードである、請求項２９に記載の音声認識入力デバイス。
【請求項３３】
音声信号を入力するステップと、
前記音声信号をディジタル音声信号へ変換するステップと、
キー入力信号を入力するステップと、
結合した信号を生成するために前記ディジタル音声信号と前記キー入力信号を単一のインターフェースコントローラにより同時に処理するステップと、
前記結合された信号を広範な語彙を持つ前記コンピュータシステムへ転送するステップと、
前記コンピュータシステム内のメインプロセッサを用いて広範な語彙の音声明瞭度認識を実行するステップと
を備える、単一のインターフェースによってコンピュータシステムにキー入力や音声入力を提供する方法。
【請求項３４】
前記コンピュータシステムで個別に処理するために、前記結合された信号を個別のディジタル音声信号コンポーネントと個別のキー入力信号コンポーネントに分ける前記コンピュータをさらに備える、請求項３３に記載の方法。
【請求項３５】
サンプル音声プリントを蓄積するステップと、
音声信号を入力するステップと、
キー入力信号を入力するステップと、
前記音声信号をディジタル音声信号へ変換するステップと、
前記ディジタル音声信号と前記サンプル音声プリントを比較するステップと、
前記ディジタル音声信号と前記サンプル音声プリントが一致したら前記ディジタル音声信号と前記キー入力信号を単一のインターフェースコントローラによって結合された信号に同時に処理するステップと、
前記結合された信号を広範な語彙を持つ前記コンピュータシステムに転送するステップと、
前記コンピュータシステム内のメインプロセッサを用いて広範な語彙の音声明瞭度認識を実行するステップと
を備える、単一のインターフェースによってコンピュータシステムにキー入力や音声入力を提供する方法。
【請求項３６】
口語を含む音声信号を入力するステップと、
前記音声信号をディジタル音声信号へ変換するステップと、
キー入力信号を入力するステップと、
前記ディジタル音声信号と前記キーボード信号を単一のインターフェースコントローラによって結合された信号に同時に処理するステップと、
前記結合された信号を単一のインターフェースによってコンピュータシステムに転送するステップと、
前記結合された信号を前記コンピュータシステムでディジタル音声信号コンポーネントとキー入力信号コンポーネントに分けるステップと、
前記口語から相当するテキストに変換するために前記コンピュータシステム内のメインプロセッサを用いて前記ディジタル音声信号コンポーネントを処理するステップと
を備える、口語をテキストに変換する方法。
【請求項３７】
前記テキストを第２のキー入力信号に変換することをさらに備える、請求項３６に記載の方法。
【請求項３８】
口語を含む音声信号を入力することと、
前記音声信号をディジタル音声信号へ変換することと、
前記ディジタル音声信号内の前記口語を確認することと、
前記口語をコマンド、インターネットアクセスを始めるために定義された少なくともひとつの前記コマンド、に変換することと、
前記コマンドを広範な語彙を持つ前記コンピュータへ転送することと、
前記コンピュータ内のメインプロセッサを用いて広範な語彙の音声明瞭度認識を実行することと
を備える、インターネットに接続されたコンピュータからインターネットへのアクセスを提供する方法。
【請求項３９】
インターネットアクセスは前記コンピュータをワールドワイドネットワークのコンピュータに接続する、請求項３８に記載の方法。
【請求項４０】
口語コマンドを含む音声信号をキーボードへ入力することと、
前記キーボードを使ってキー入力データを入力することと、
前記口語コマンドを操作命令へ変換することと、
前記操作命令を少なくともひとつの前記電子デバイスへ転送することと、
前記キー入力データと音声信号を広範な語彙を持つコンピュータシステムへ転送することと、
前記コンピュータシステム内のメインプロセッサを用いて広範な語彙の音声明瞭度認識を実行することと
を備える、少なくともひとつの電子デバイスを口語コマンドにより遠隔で制御する方法。